(57)【要約】【課題】  多重撮影中に記録する画像サイズの変更は禁止されていたが、撮影者が、不用意に画像サイズを変えてしまった時に、それに気づかずに、撮影したい場面を撮影できなかったり、また、今撮影しようとする場面を、高精細な画像として撮影したい場合などがあっても、撮影できないという問題があった。【解決手段】  デジタルカメラは、画像サイズ設定手段と、多重露光撮影が可能な多重露光モードを設定するモード設定手段と、前記モード設定手段によって多重露光モードが設定され、複数枚分の撮影が行われると、撮影ごとに取り込んだ画像をデジタル加算処理して多重露光された加算画像を生成する画像生成手段と、前記モード設定手段によって多重露光モードが設定されると、最終駒撮影時における画像サイズ設定手段の設定値に基づいて、加算処理して多重露光された加算画像を記録手段に記録する。【選択図】  図３
2007221237.tif 000002
【特許請求の範囲】
【請求項１】
多重露光撮影が可能な多重露光モードを設定するモード設定手段と、記録画質設定手段と、前記多重露光モード設定手段によって多重露光モードが設定され、複数枚分の撮影が行われると、撮影ごとに取り込んだ画像をデジタル加算処理して多重露光された加算画像を生成する画像生成手段と、
前記多重露光モード設定手段によって多重露光モードが設定時されて多重露光撮影中に前記記録画質設定手段において記録画質設定手段が操作されて、記録画質が変更された場合に、記録時の設定値にて多重露光された画像を記録することを特徴とするデジタルカメラ。
【請求項２】
多重露光撮影が可能な多重露光モードを設定するモード設定手段と、記録画質設定手段と、前記多重露光モード設定手段によって多重露光モードが設定され、複数枚分の撮影が行われると、撮影ごとに取り込んだ画像をデジタル加算処理して多重露光された加算画像を生成する画像生成手段と、
前記多重露光モード設定手段によって多重露光モードが設定時されて多重露光撮影中に前記記録画質設定手段において記録画質設定手段が操作されて、記録画質が変更された場合に、多重露光中に一番多く設定された設定値にて多重露光された画像を記録することを特徴とするデジタルカメラ。
【請求項３】
多重露光撮影が可能な多重露光モードを設定するモード設定手段と、記録画質設定手段と、前記多重露光モード設定手段によって多重露光モードが設定され、複数枚分の撮影が行われると、撮影ごとに取り込んだ画像をデジタル加算処理して多重露光された加算画像を生成する画像生成手段と、
前記多重露光モード設定手段によって多重露光モードが設定時されて多重露光撮影中に前記記録画質設定手段において記録画質設定手段が操作されて、記録画質が変更された場合に、多重露光中に設定された一番荒い設定値にて多重露光された画像を記録することを特徴とするデジタルカメラ。
【請求項４】
多重露光撮影が可能な多重露光モードを設定するモード設定手段と、記録画質設定手段と、前記多重露光モード設定手段によって多重露光モードが設定され、複数枚分の撮影が行われると、撮影ごとに取り込んだ画像をデジタル加算処理して多重露光された加算画像を生成する画像生成手段と、
前記多重露光モード設定手段によって多重露光モードが設定時されて多重露光撮影中に前記記録画質設定手段において記録画質設定手段が操作されて、記録画質が変更された場合に、多重露光中に設定された一番細かい設定値にて多重露光された画像を記録することを特徴とするデジタルカメラ。
【発明の詳細な説明】
【技術分野】
【０００１】
本発明はデジタルカメラに係り、特に多重露光撮影が可能なデジタルカメラに関する。
【背景技術】
【０００２】
従来、多重露光撮影が可能な撮像素子を有する撮像装置としては、特開平2002-218313号公報に記載のものがある。
【０００３】
この撮像装置は、撮影ごとに画像をデジタル加算処理することにより多重露光撮影を実現するが、例えば電子ズーム（画像を切り出して表示／記録）を撮影ごとに変更すると、電子ズームによる切り出し範囲の大きさの違いにより加算される部分と加算されない部分とが混在し、多重露光された領域と多重露光されない領域とが生じるという問題があったり、撮影ごとに画像数（画像サイズ）を変更した場合、記録される画像の大きさの違いにより加算される部分と加算されない部分とが混在し、多重露光された領域と多重露光されない領域とが生じるという問題を回避するため、多重露光撮影時に画素数を変えることを禁止している。
【特許文献１】特開2002-218313号公報
【発明の開示】
【発明が解決しようとする課題】
【０００４】
上記従来の撮像装置による多重露光撮影は、撮影者が、不用意に画像サイズを変えてしまった時に、それに気づかずに、撮影したい場面を撮影できなかったり、また、今撮影しようとする場面を、高精細な画像として撮影したい場合などがあっても、撮影できないという問題がある。
【０００５】
本発明は、このような事情に鑑みてなされたもので、撮影ごとに画像をデジタル加算処理して多重露光撮影を実現する際に、撮影した画像数（画像サイズ）が前回までの多重露光していた画像数（画像サイズ）と変わっていたら、撮影した画像数（画像サイズ）、若しくは、前回までの多重露光していた画像数（画像サイズ）のどちらかの画像数（画像サイズ）を他方の画像数（画像サイズ）に合わせるように画像処理することで、多重露光中に画像数（画像サイズ）が変化しても、画像破綻しないようにすることができるデジタルカメラを提供することを目的とする。
【課題を解決するための手段】
【０００６】
前記目的を達成するために、デジタルカメラは、画像サイズ設定手段と、多重露光撮影が可能な多重露光モードを設定するモード設定手段と、前記モード設定手段によって多重露光モードが設定され、複数枚分の撮影が行われると、撮影ごとに取り込んだ画像をデジタル加算処理して多重露光された加算画像を生成する画像生成手段と、前記モード設定手段によって多重露光モードが設定されると、最終駒撮影時における画像サイズ設定手段の設定値に基づいて、加算処理して多重露光された加算画像を記録手段に記録すること、を備えたことを特徴としている。
【０００７】
本願請求項２に示すように、記録手段に記録する画像サイズは、多重露光中に一番多く設定された画像サイズにて記録することを特徴としている。
【０００８】
本願請求項３に示すように、記録手段に記録する画像サイズは、多重露光中に設定された一番大きな画像サイズにて記録することを特徴としている。
【０００９】
本願請求項４に示すように、記録手段に記録する画像サイズは、多重露光中に設定された一番小さな画像サイズにて記録することを特徴としている。
【００１０】
これにより、多重露光撮影中の画像サイズに不整合が生じても、各画像をデジタル加算処理して、その画像を記録手段に記録する際に、最終的な選択画像サイズになるように変換して、記録することで、画像破綻をきたさないようにしている。
【発明の効果】
【００１１】
以上説明したように本発明によれば、撮影ごとに画像を加算処理して多重露光撮影を実現でき、多重露光撮影中に、記録画質が変更されても、最終的に画像を記録する時の設定値にて、画像を記録する事で、撮影者が随意に撮影することが出来る。また、多重露光撮影時にクイックレビュー画像を表示することも、多重露光されたプレビュー画像を表示することもでき、これにより記録前に多重露光された画像を確認することができる。更に、最新の取込画像と前回までの加算画像とを別の記憶領域に保持するようにしたため、多重露光した結果に満足できない場合には最後に取り込んだ画像の撮り直しができる。
【発明を実施するための最良の形態】
【００１２】
以下添付図面に従って本発明に係るデジタルカメラの好ましい実施の形態について詳説する。
【００１３】
図１は本発明に係るデジタルカメラの背面図である。このデジタルカメラ１０の上面には、撮影モード選択ダイヤル１１及び不図示のシャッターボタンが設けられている。撮影モード選択ダイヤル１１は、回転させることにより、マニュアル撮影モード、オート撮影モード、人物モード等の各種の撮影モードを設定することができるようになっている。また、不図示のシャッターボタンは、半押し時にＯＮしてフォーカスロック、測光等の撮影準備を行わせるスイッチＳW１と、全押し時にＯＮして画像の取り込みを行わせるスイッチＳW２とを有している。
【００１４】
また、図１に示すようにデジタルカメラ１０の背面には、ファインダ１３、撮影した記録前の画像（プレビュー画像）やカメラに装填されたメモリカードから読み出した再生画像等を表示させる表示ボタン１７、再生させた画像等を消去する消去ボタン１８、電源ボタン１９、ｉｎｆｏスイッチ１４、Ｊｕｍｐスイッチ１５、メニュースイッチ１２、マルチファンクションの選択ダイアル２５、マルチファンクションの選択ダイアルの選択方向を縦横切り替える切り替えスイッチ１６、液晶モニタ２０が設けられている。
【００１５】
マルチファンクションの選択ダイアル２５は、撮影時の露出補正の機能を有するが、この時は、不用意に撮影条件が切り替わらないように選択ダイアルが有効／無効を切り替えることができるダイアルＯＮ／ＯＦＦスイッチ２１である。液晶モニタ２０は、カメラの動作モードや機能等を文字やアイコンで表示する。また、撮影した記録前の画像（プレビュー画像）やカメラに装填されたメモリカードから読み出した再生画像等を表示することができ、ＳＥＴスイッチ２６や選択ダイアル２５の操作に応じて表示される。尚、本発明に係る多重露光モードの設定は、マニュアル撮影モード時にメニューイッチ１２を押してマニュアル撮影メニューを液晶モニタ２０上に表示し、選択ダイアル２５によって「多重露光モードＯＮ」を選択することによって行われる。
【００１６】
図２は図１に示したデジタルカメラ１０の内部構成を示すブロック図である。
【００１７】
同図において、メインＭＰＵ２７は、前述した撮影モード選択ダイヤル１１、不図示のシャッターボタン、電源スイッチ１９、再生モード選択スイッチ１７、メニュースイッチ１２等を含む各種操作スイッチ２８からの入力に基づいてデジタルカメラ１０内の各回路を統括制御する。また、メインＭＰＵ２７は、ＳＤＲＡＭ（シンクロナス・ダイナミックＲＡＭ）やＥＥＰＲＯＭなどからなるＭＥＭＯＲＹ２９との間で必要なデータの授受が行われる。
【００１８】
まず、電源スイッチ１９が操作されると、ＭＰＵ２７はこれを検出し、カメラ内電源をＯＮにする。また、再生モード選択スイッチ１２によって再生モードが選択されると、撮影して記録してある画像を再生する。
【００１９】
上記再生モード状態時にシャッターボタンが押されると、ＭＰＵ２７はこれを検知し、フォーカス制御、測光、露出制御を行い、光学ユニット３０を介して被写体の画像光を固体撮像素子（ＣＭＯＳ）３１の受光面上に結像させる。ＣＭＯＳ３１は、受光面に結像された画像光をその光量に応じた量の信号電荷に変換する。このようにして蓄積された信号電荷は、クロック発生回路３２から加えられるリードゲートパルスによってシフトレジスタに読み出され、レジスタ転送パルスによって信号電荷に応じた電圧信号として順次読み出される。
【００２０】
ＣＭＯＳ３１から出力された電圧信号は、アナログ処理回路３３によって増幅等のアナログ処理が施された後、各画素ごとのＲ、Ｇ、Ｂ信号としてＡ／Ｄ変換器３３に加えられる。Ａ／Ｄ変換器３３は、アナログ処理回路３２から順次加えられるＲ、Ｇ、Ｂ信号をそれぞれ１２ビットのＲ、Ｇ、Ｂ信号に変換する。これらのＲ、Ｇ、Ｂ信号は、一旦MEMORY２９のＳＤＲＡＭに格納される。
【００２１】
ＭＰＵ２７は、上記ＭＥＭＯＲＹ２９に格納された１２ビットのＲ、Ｇ、Ｂの生データを読み出し、これらに光源種に応じたデジタルゲインをかけることでホワイトバランス調整を行うとともに、ガンマ（階調特性）処理を行って８ビットのＲ、Ｇ、Ｂ信号を生成し、更にＹＣ信号処理して輝度信号Ｙとクロマ信号Ｃｒ、Ｃｂ（ＹＣ信号）を生成し、そのＹＣ信号を再びＭＥＭＯＲＹ２９に格納する。尚、ホワイトバランス調整は、取り込んだＲ、Ｇ、Ｂ信号に基づいて光源種を判定し、その判定した光源種に適したホワイトバランス補正値（Ｒ、Ｇ、Ｂごとのデジタルゲイン）を使用するオートホワイトバランス調整と、予めマニュアルで選択した光源種に適したホワイトバランス補正値を使用するマニュアルホワイトバランス調整とがある。
【００２２】
上記のようにしてＭＥＭＯＲＹ２９に格納されたＹＣ信号は、圧縮・伸長をやはりＭＰＵ２７によって行われ所定のフォーマットに圧縮されたのち、外部記録部３５を介して不図示のメモリカード等に記録される。
【００２３】
一方、再生モード選択スイッチ１７によって再生モードが選択されると、メモリカード等の記録部に記録されている最終コマの画像ファイルがＭＥＭＯＲＹ２９に読み出され、この読み出された画像データは、ＭＰＵ２７によって画像表示部３６で表示できるサイズに圧縮・伸張され、画像表示部３６に出力される。なお、画像表示部は、NTSCまたは、PAL方式のモニター、でも、カメラ付属の液晶表示装置のどれでもよく、ＭＰＵ２７は、出力種類に応じた圧縮・伸張処理を行う。
【００２４】
その後、マルチファンクションの選択ダイアル２５のダイアルの操作方向に応じて、順方向にコマ送りしたり、逆方向にコマ送りされる。そして、コマ送りされたコマ位置の画像ファイルが記録部３５から読み出され、上記と同様にしてコマ画像が画像表示部３６に再生される。尚、最終コマのコマ画像が表示されている状態で順方向にコマ送りされると、記録部３５に記録されている１コマ目の画像ファイルが読み出され、１コマ目のコマ画像が画像表示部３６に再生される。
【００２５】
次に、上記デジタルカメラ１０の多重露光機能について説明する。
【００２６】
この多重露光機能は、前述したように「多重露光モードＯＮ」を選択して多重露光モードが設定されると、その後、複数回の撮影で取り込んだ複数の画像をデジタル加算処理することにより多重露光撮影を可能にするものである。
【００２７】
次に、図３のフローチャートを参照しながらデジタルカメラ１０の多重露光モード時の動作について説明する。
【００２８】
まず、多重露光モードが設定され、撮影スタンバイ状態で、シャッターボタン１２が全押し（スイッチＳＷ２をＯＮ）されると、前述したように１２ビットのＲ、Ｇ、Ｂ生データがＭＥＭＯＲＹ２９に取り込まれる（ステップＳ１１）。
【００２９】
ここで、取込画像とは、撮影ごとに新規にＣＭＯＳ３０から取り込んだＲ、Ｇ、Ｂ生データであり、加算画像とは、キープ画像又は前回までの加算画像と今回取り込んだ取込画像とを加算した画像であり、キープ画像とは、加算用に保持された１コマ目の取込画像又は前回までの加算画像である。
【００３０】
上記ステップＳ１１で取り込んだ１コマ目のＲ、Ｇ、Ｂ生データは、メモリの領域１に取込画像として保存される。そして、この取込画像に基づいてプレビュー画像が生成され、画像表示部３６に表示される（ステップＳ１２）。
【００３１】
ステップＳ１２において、プレビュー画像が表示されている状態で、ＳＥＴスイッチ２６が押されると、上記領域１に保存された取込画像は多重露光されるキープ画像として確保される（ステップＳ１３）。これにより、多重露光モードでの次の撮影が可能になる。
【００３２】
一方、ステップＳ１２において、消去ボタン１４が押されると、上記取込画像を消去するか、既に、多重露光してある画像を消去するかのメニューが画像表示部３６に現れ、そこで、取り込んだ画像のみの消去を選択すると（ステップＳ１４）、ステップＳ１０に戻る。また、既に、多重露光してある画像の消去が選択されると、ＳＤＲＡＭの３フレーム分の記憶領域がクリアされたのち（ステップＳ１５）、ステップＳ１０に戻る。
【００３３】
また、ステップＳ１２において、表示ボタン１７が押されると、ステップＳ２２に飛び、記録する画像サイズを設定する。設定される画像サイズは、多重露光撮影中に一番多く選択された画像サイズや記録する時に設定されている画像サイズでも良い。そして、プレビュー画像の外部記録部３５を介してメモリーカードなどへの記録処理が行われる。尚、この場合には、多重露光されていないため、画像サイズは通常撮影時と同じに設定され、プレビュー撮影モード（プレビュー画像を表示してから記録するか否かを選択する撮影モード）によって１コマ撮影したのと同じ結果になり、ステップＳ２３で記録処理が終了すると、ステップＳ１５でメモリをクリアしたのち、ステップＳ１０に戻る。
【００３４】
さて、ステップＳ１３で取込画像がキープ画像として確保されると、外部表示部３６の表示画面はプレビュー画像からスルー画像に切り替えられる（ステップＳ１６）。
【００３５】
ステップＳ１６において、シャッターボタンを全押しすると、新たに１２ビットのＲ、Ｇ、Ｂ生データがＳＤＲＡＭ２６に取り込まれる（ステップＳ１７）。この取込画像は、ＳＤＲＡＭの記憶領域２に保存される。続いて、この取込画像と既にＳＤＲＡＭ２６の保存されているキープ画像とを、Ｒ、Ｇ、Ｂ画素ごとに加算し、これを加算画像としてＳＤＲＡＭの記憶領域に保存する（ステップＳ１８）。
【００３６】
上記のようにして加算画像が作成されると、外部表示部３６の表示画面はスルー画像から加算画像を示すプレビュー画像に切り替えられる（ステップＳ２１）。
【００３７】
ステップＳ２１において、ＳＥＴスイッチ２６が押されると、上記プレビューされた加算画像はキープ画像として確保されたのち（ステップＳ２０）、ステップＳ１６に戻り、外部表示部３６には再びスルー画像が表示される。上記ステップＳ１６〜Ｓ２０の処理を繰り返すことにより、多重露光する撮影コマ数を任意に選択することができる。
【００３８】
一方、ステップＳ１２において、消去ボタン１４が押されると、上記取込画像を消去するか、既に、多重露光してある画像を消去するかのメニューが画像表示部３６に現れ、そこで、取り込んだ画像のみの消去を選択すると、ステップＳ１７で取り込んだ取込画像をクリアしたのち（ステップＳ１９）、ステップＳ１６に戻る。これにより、キープ画像に加算する画像の撮り直しができるようにしている。また、多重露光してある画像を消去するを選択すると、ステップＳ１５でＳＤＲＡＭ２６の３フレーム分の記憶領域がクリアされたのち、ステップＳ１０に戻る。これにより、多重露光撮影を初めから撮り直すことができるようにしている。
【００３９】
ステップＳ２１において、再生スイッチ１７が押されると、プレビューされている加算画像（１２ビットのＲ、Ｇ、Ｂ生データ）に対し、ホワイトバランス調整、ガンマ処理及びシャープネス処理を行って８ビットのＲ、Ｇ、Ｂデータとし、更にＹＣ処理した後、設定された圧縮率に画像を圧縮する（ステップＳ２２）。この時設定される画像サイズは、多重露光撮影中に一番多く選択された画像サイズや記録する時に設定されている画像サイズでも良く、設定された画像サイズに圧縮された後に外部記録部３５に記録する（ステップＳ２３）。この記録処理が終了すると、ステップＳ１５でメモリクリアしたのち、ステップＳ１０に戻る。
【図面の簡単な説明】
【００４０】
【図１】本発明のカメラ
【図２】本発明のカメラの内部構成を示したブロック図
【図３】本発明の多重露光モード時の動作を説明するフローチャート
【符号の説明】
【００４１】
１０  デジタルカメラ
１１  撮影モード選択ダイヤル
１２  メニュースイッチ
１３  ファインダ
１４  ｉｎｆｏスイッチ
１５  Ｊｕｍｐスイッチ
１６  切り替えスイッチ
１７  表示ボタン
１８  消去ボタン
１９  電源ボタン
２０  液晶モニタ
２１  ダイアルＯＮ／ＯＦＦスイッチ
２２  AELスイッチ
２３  測距点選択スイッチ
２４  アシストスイッチ
２５  選択ダイアル
２６  ＳＥＴスイッチ
２７  メインＭＰＵ
２８  各種操作スイッチ
２９  ＭＥＭＯＲＹ
３０  光学ユニット
３１  撮像素子（ＣＭＯＳ）
３２  クロック発生回路
３３  アナログ処理回路
３４  Ａ／Ｄ変換器
３５  外部記録部
３６  画像表示部
【図１】
2007221237.tif 000003
【図２】
2007221237.tif 000004
【図３】
2007221237.tif 000005